(57)【特許請求の範囲】
【請求項１】
測定方向に沿ったアブソリュートパターンと、
前記アブソリュートパターンに光を出射するように構成された光源と、
前記測定方向に沿って並べられ、前記光源から出射され前記アブソリュートパターンを透過又は反射された光を受光するように構成された複数の受光素子と、を有し、
前記複数の受光素子は、
各々の前記測定方向の最大外形寸法及び前記測定方向に垂直な幅方向の最大外形寸法が互いに等しく、且つ、各々の受光光量が互いに等しくなるように前記光源からの距離が異なる前記受光素子同士が異なる形状を有し、
先細り形状の尖端部を前記測定方向の端部に備えた第１受光素子を含む、
エンコーダ。
【請求項２】
前記複数の受光素子は、
前記光源からの距離が異なると共に互いに面積が等しい複数の前記第１受光素子を含む、
請求項１記載のエンコーダ。
【請求項３】
互いに面積が等しい前記複数の第１受光素子は、
前記尖端部の測定方向寸法の合計が互いに等しく、前記測定方向において前記光源に近い前記第１受光素子ほど前記尖端部の頂点の前記幅方向における位置が前記光源より離れている、
請求項２に記載のエンコーダ。
【請求項４】
前記複数の受光素子は、
前記測定方向において前記第１受光素子を間に挟んで配置され、前記尖端部を備えない２つの第２受光素子を含む、
請求項１〜３のいずれか１項に記載のエンコーダ。
【請求項５】
前記第２受光素子は、
四角形状であり、
前記第１受光素子は、
前記四角形状の角部がトリミングされた形状である、
請求項４に記載のエンコーダ。
【請求項６】
前記複数の受光素子は、
前記光源からの距離が異なると共に互いに面積が異なる複数の前記第１受光素子を含み、
該面積が異なる前記複数の第１受光素子は、
前記尖端部の測定方向寸法の合計が、前記測定方向において前記光源に近い前記第１受光素子ほど大きい、
請求項１〜５のいずれか１項に記載のエンコーダ。
【請求項７】
前記複数の受光素子は、
前記光源を挟むように前記幅方向に互いにオフセットした位置に２セット並列に配置される、
請求項１〜６のいずれか１項に記載のエンコーダ。
【請求項８】
前記光源は、
前記アブソリュートパターンに拡散光を出射するように構成された点光源であり、
前記アブソリュートパターンは、
前記光源より出射された光を反射するように構成されたパターンであり、
前記複数の受光素子は、
前記アブソリュートパターンで反射された光を受光するように構成される、
請求項１〜７のいずれか１項に記載のエンコーダ。
【請求項９】
モータと、
請求項１〜８のいずれか１項に記載のエンコーダと、
を有する、エンコーダ付きモータ。
【発明の詳細な説明】
【技術分野】
【０００１】
開示の実施形態は、エンコーダ及びエンコーダ付きモータに関する。
【背景技術】
【０００２】
特許文献１には、所定角度内の反射スリットの位置の組み合わせにより一義に回転ディスクの絶対位置を表すことが可能なアブソリュートパターンからの光信号を、アブソ用受光素子群の複数の受光素子が各々独立して検出するエンコーダが記載されている。
【先行技術文献】
【特許文献】
【０００３】
【特許文献１】特許第４９４５６７４号公報
【発明の概要】
【発明が解決しようとする課題】
【０００４】
上記エンコーダにおいて検出精度の向上を図る場合、装置構成の更なる最適化が要望される。【０００５】
本発明はこのような問題点に鑑みてなされたものであり、検出精度を向上できるエンコーダ及びエンコーダ付きモータを提供することを目的とする。
【課題を解決するための手段】
【０００６】
上記課題を解決するため、本発明の一の観点によれば、測定方向に沿ったアブソリュートパターンと、前記アブソリュートパターンに光を出射するように構成された光源と、前記測定方向に沿って並べられ、前記光源から出射され前記アブソリュートパターンを透過又は反射された光を受光するように構成された複数の受光素子と、を有し、前記複数の受光素子は、各々の前記測定方向の最大外形寸法及び前記測定方向に垂直な幅方向の最大外形寸法が互いに等しく、且つ、各々の受光光量が互いに等しくなるように前記光源からの距離が異なる前記受光素子同士が異なる形状を有し、先細り形状の尖端部を前記測定方向の端部に備えた第１受光素子を含む、エンコーダが提供される。
【０００７】
また、本発明の別の観点によれば、モータと、上記エンコーダと、を有する、エンコーダ付きモータが提供される。
【発明の効果】
【０００８】
本発明によれば、検出精度を向上できる。
【図面の簡単な説明】
【０００９】
【図１】一実施形態に係るサーボシステムについて説明するための説明図である。
【図２】同実施形態に係るエンコーダについて説明するための説明図である。
【図３】同実施形態に係るディスクについて説明するための説明図である。
【図４】同実施形態に係るパターンについて説明するための説明図である。
【図５】同実施形態に係る光学モジュール及び受光アレイについて説明するための説明図である。
【図６】図４及び図５のＡ−Ａ断面による受光動作について説明するための説明図である。
【図７】同実施形態に係る光学モジュールの基板上での反射光の光強度分布について説明するための説明図である。
【図８】同実施形態に係る受光素子の形状及び寸法設定について説明する説明図である。
【図９】尖端部を有していない矩形形状の受光素子の場合のアナログ検出信号の変化特性について説明するための説明図である。
【図１０】尖端部を有する受光素子の場合のアナログ検出信号の変化特性について説明するための説明図である。
【図１１】尖端部を有していない受光素子と尖端部を有する受光素子のそれぞれの受光光量の変化特性の差異について説明するための説明図である。
【図１２】同実施形態に係る受光アレイが備える複数の受光素子の形状を説明するための説明図である。
【図１３】３つの受光素子で受光面積を同一とした変形例に係る受光アレイが備える複数の受光素子の形状を説明するための説明図である。
【図１４】７つの受光素子で受光面積を同一とした変形例に係る受光アレイが備える複数の受光素子の形状を説明するための説明図である。
【図１５】９つ全ての受光素子で受光面積を同一とした変形例に係る受光アレイが備える複数の受光素子の形状を説明するための説明図である。
【図１６】受光素子を尖端部のみで構成した変形例に係る受光アレイが備える複数の受光素子の形状を説明するための説明図である。
【図１７】９つ全ての受光素子で受光面積を異ならせた変形例に係る受光アレイが備える複数の受光素子の形状を説明するための説明図である。
【発明を実施するための形態】
【００１０】
以下、一実施の形態について図面を参照しつつ説明する。
【００１１】
なお、以下で説明する実施形態に係るエンコーダは、回転型（ロータリタイプ）や直線型（リニアタイプ）など様々なタイプのエンコーダに適用可能である。以下では、エンコーダの理解が容易になるように、回転型のエンコーダを例に挙げて説明する。他のタイプのエンコーダに適用する場合には、被測定対象を回転型のディスクから直線型のリニアスケールに変更するなど適切な変更を加えることにより可能であるので、詳しい説明は省略する。
【００１２】
＜１．サーボシステム＞
まず、図１を参照しつつ、本実施形態に係るエンコーダを備えたサーボシステムの構成について説明する。図１に示すように、サーボシステムＳは、サーボモータＳＭと、制御装置ＣＴとを有する。サーボモータＳＭは、エンコーダ１００と、モータＭとを有する。
【００１３】
モータＭは、エンコーダ１００を含まない動力発生源の一例である。モータＭは、回転子（図示省略）が固定子（図示省略）に対して回転する回転型モータであり、回転子に固定されたシャフトＳＨを軸心ＡＸ周りに回転させることにより、回転力を出力する。
【００１４】
なお、モータＭ単体をサーボモータという場合もあるが、本実施形態では、エンコーダ１００を含む構成をサーボモータＳＭという。つまり、サーボモータＳＭはエンコーダ付きモータの一例に相当する。以下では、説明の便宜上、エンコーダ付きモータが、位置や速度等の目標値に追従するように制御されるサーボモータである場合について説明するが、必ずしもサーボモータに限定されるものではない。エンコーダ付きモータは、例えばエンコーダの出力を表示のみに用いる場合等、エンコーダが付設さえされていれば、サーボシステム以外に用いられるモータをも含むものである。
【００１５】
なお、モータＭは、例えば位置データ等をエンコーダ１００が検出可能なモータであれば、特に限定されるものではない。また、モータＭは、動力源として電気を使用する電動式モータである場合に限定されるものではなく、例えば、油圧式モータ、エア式モータ、蒸気式モータ等の他の動力源を使用したモータであってもよい。但し、説明の便宜上、以下ではモータＭが電動式モータである場合について説明する。
【００１６】
エンコーダ１００は、モータＭのシャフトＳＨの回転力出力側とは反対側に連結される。但し、必ずしも反対側に限定されるものではなく、エンコーダ１００はシャフトＳＨの回転力出力側に連結されてもよい。エンコーダ１００は、シャフトＳＨ（回転子）の位置を検出することにより、モータＭの位置（回転角度ともいう。）を検出し、その位置を表す位置データを出力する。なお、エンコーダ１００は、モータＭに直接連結される場合に限定されるものではなく、例えばブレーキ装置や減速機、回転方向変換機等の他の機構を介して連結されてもよい。
【００１７】
エンコーダ１００は、モータＭの位置に加えて又は代えて、モータＭの速度（回転速度、角速度等ともいう。）及びモータＭの加速度（回転加速度、角加速度等ともいう。）の少なくとも一方を検出してもよい。この場合、モータＭの速度及び加速度は、例えば、位置を時間で１又は２階微分したり検出信号（例えば後述するインクリメンタル信号）を所定の時間カウントするなどの処理により検出することが可能である。説明の便宜上、以下ではエンコーダ１００が検出する物理量は位置であるとして説明する。
【００１８】
制御装置ＣＴは、エンコーダ１００から出力される位置データを取得して、当該位置データに基づいて、モータＭの回転を制御する。従って、モータＭとして電動式モータが使用される本実施形態では、制御装置ＣＴは、位置データに基づいてモータＭに印加する電流又は電圧等を制御することにより、モータＭの回転を制御する。更に、制御装置ＣＴは、上位制御装置（図示せず）から上位制御信号を取得して、当該上位制御信号に表された位置等を実現可能な回転力がモータＭのシャフトＳＨから出力されるように、モータＭを制御することも可能である。なお、モータＭが、油圧式、エア式、蒸気式などの他の動力源を使用する場合には、制御装置ＣＴは、それらの動力源の供給を制御することにより、モータＭの回転を制御することが可能である。
【００１９】
＜２．エンコーダ＞
次に、本実施形態に係るエンコーダ１００について説明する。図２に示すように、エンコーダ１００は、ディスク１１０と、光学モジュール１３０と、位置データ生成部１４０とを有する。エンコーダ１００は、光学モジュール１３０に備えられた光源１３１と受光アレイＰＡ１，ＰＡ２等がディスク１１０のパターンＳＡ１，ＳＡ２等に対し同じ側に配置された、いわゆる反射型のエンコーダである。但し、エンコーダ１００は、反射型エンコーダに限定されるものではなく、光源１３１と受光アレイＰＡ１，ＰＡ２等がディスク１１０を挟んで反対側に配置された、いわゆる透過型のエンコーダであってもよい。但し、説明の便宜上、以下ではエンコーダ１００が反射型エンコーダである場合について説明する。
【００２０】
ここで、エンコーダ１００の構造の説明の便宜上、上下等の方向を以下のように定め、適宜使用する。図２において、ディスク１１０が光学モジュール１３０と面する方向、つまりＺ軸正の方向を「上」とし、Ｚ軸負の方向を「下」とする。但し、該方向はエンコーダ１００等の設置態様によって変動するものであり、エンコーダ１００の各構成の位置関係を限定するものではない。
【００２１】
（２−１．ディスク）
ディスク１１０は、図３に示すように円板状に形成され、ディスク中心Ｏが軸心ＡＸとほぼ一致するように配置される。ディスク１１０は、モータＭのシャフトＳＨに連結され、シャフトＳＨの回転により回転する。なお、本実施形態では、モータＭの回転を測定する被測定対象の例として、円板状のディスク１１０を例に挙げて説明するが、例えば、シャフトＳＨの端面などの他の部材を被測定対象として使用することも可能である。また、図２に示す例では、ディスク１１０がシャフトＳＨに直接連結されているが、ハブ等の連結部材を介して連結されてもよい。
【００２２】
図３に示すように、ディスク１１０は、複数のパターンＳＡ１，ＳＡ２，ＳＩを有する。ディスク１１０はモータＭの駆動と共に回転するが、光学モジュール１３０は、ディスク１１０の一部に対向しつつ固定して配置される。従って、パターンＳＡ１，ＳＡ２，ＳＩと、光学モジュール１３０とは、モータＭの駆動に伴い、互いに測定方向（図３に示す矢印Ｃの方向。以下適宜「測定方向Ｃ」と記載する。）に相対移動する。
【００２３】
ここで、「測定方向」とは、光学モジュール１３０でディスク１１０に形成された各パターンを光学的に測定する際の測定方向である。本実施形態のように被測定対象がディスク１１０である回転型のエンコーダにおいては、測定方向はディスク１１０の円周方向に一致するが、例えば被測定対象がリニアスケールであり、可動子が固定子に対して移動する直線型のエンコーダにおいては、測定方向はリニアスケールに沿った方向となる。
【００２４】
（２−２．光学検出機構）
光学検出機構は、パターンＳＡ１，ＳＡ２，ＳＩと光学モジュール１３０等とにより構成される。
【００２５】
（２−２−１．パターン）
各パターンは、ディスク１１０の上面にディスク中心Ｏを中心としたリング状に配置されたトラックとして形成される。各パターンは、トラックの全周にわたって、測定方向Ｃに沿って並べられた複数の反射スリット（図４における斜線ハッチング部分）を有する。１つ１つの反射スリットは、光源１３１から照射された光を反射する。
【００２６】
ディスク１１０は、例えば金属等の光を反射する材質により形成される。そして、ディスク１１０の表面における光を反射させない部分に反射率の低い材質（例えば酸化クロム等）を塗布等により配置することで、配置されない部分に反射スリットが形成される。なお、光を反射させない部分をスパッタリング等により粗面として反射率を低下させることで、反射スリットが形成されてもよい。
【００２７】
なお、ディスク１１０の材質や製造方法等については特に限定されるものではない。例えば、ディスク１１０をガラスや透明樹脂等の光を透過する材質で形成することも可能である。この場合、ディスク１１０の表面に光を反射する材質（例えばアルミニウム等）を蒸着等によって配置することにより、反射スリットが形成可能である。
【００２８】
なお、エンコーダ１００を上述の透過型エンコーダとして構成する場合には、ディスク１１０に形成される各パターンは、トラックの全周にわたって、測定方向Ｃに沿って並べられた複数の透過スリットを有する。１つ１つの透過スリットは、光源１２１から照射された光を透過する。
【００２９】
パターンは、ディスク１１０の上面において幅方向（図３に示す矢印Ｒの方向。以下適宜「幅方向Ｒ」と記載する。）に３本併設される。なお、「幅方向」とは、ディスク１１０の半径方向、すなわち測定方向Ｃと略垂直な方向であり、この幅方向Ｒに沿った各パターンの長さが各パターンの幅に相当する。３本のパターンは、幅方向Ｒの内側から外側に向けて、ＳＡ１，ＳＩ，ＳＡ２の順に同心円状に配置される。各パターンについてより詳細に説明するために、ディスク１１０の光学モジュール１３０と対向する領域近傍の部分拡大図を図４に示す。
【００３０】
（２−２−１−１．アブソリュートパターン）
図４に示すように、パターンＳＡ１，ＳＡ２が有する複数の反射スリットは、測定方向Ｃに沿ってアブソリュートパターンを有するように、ディスク１１０の全周に配置される。これらパターンＳＡ１，ＳＡ２がアブソリュートパターンの一例に相当する。
【００３１】
なお、「アブソリュートパターン」とは、後述する光学モジュール１３０が有する受光アレイが対向する角度内における反射スリットの位置や割合等が、ディスク１１０の１回転内で一義に定まるようなパターンである。つまり、例えば、図４に示すアブソリュートパターンの例の場合、モータＭがある角度位置となっている場合に、対向した受光アレイの複数の受光素子それぞれの検出又は未検出によるビットパターンの組み合わせが、その角度位置の絶対位置を一義に表すことになる。なお、「絶対位置」とは、ディスク１１０の１回転内での原点に対する角度位置をいう。原点は、ディスク１１０の１回転内での適宜の角度位置に設定され、この原点を基準としてアブソリュートパターンが形成される。
【００３２】
なお、このパターンの一例によれば、モータＭの絶対位置を、受光アレイの受光素子数のビットにより、一次元的に表すようなパターンを生成できる。しかし、アブソリュートパターンは、この例に限定されるものではない。例えば、受光素子数のビットにより多次元的に表すパターンであってもよい。また、所定のビットパターン以外にも、受光素子で受光する光量や位相などの物理量が絶対位置を一義的に表すように変化するパターンや、アブソリュートパターンの符号系列が変調を施されたパターン等であってもよく、その他、様々なパターンであってもよい。
【００３３】
なお、本実施形態では、同様のアブソリュートパターンが、測定方向Ｃで例えば１ビットの１／２の長さだけオフセットされて、２本のパターンＳＡ１，ＳＡ２として形成される。このオフセット量は、例えばパターンＳＩの反射スリットのピッチＰの半分に相当する。仮に、このようにパターンＳＡ１，ＳＡ２をオフセットさせた構成としない場合、次のような可能性がある。つまり、本実施形態のような一次元的なアブソリュートパターンにより絶対位置を表す場合、受光アレイＰＡ１，ＰＡ２の各受光素子が反射スリットの端部近傍に対向して位置することによるビットパターンの変わり目の領域において、絶対位置の検出精度が低下する可能性がある。本実施形態では、パターンＳＡ１，ＳＡ２をオフセットさせるので、例えば、パターンＳＡ１による絶対位置がビットパターンの変わり目に相当する場合には、パターンＳＡ２からの検出信号を使用して絶対位置を算出したり、その逆を行うことにより、絶対位置の検出精度を向上できる。なお、このような構成とする場合、２つの受光アレイＰＡ１，ＰＡ２における受光量を均一にする必要があるが、本実施形態では２つの受光アレイＰＡ１，ＰＡ２を光源１３１からほぼ等しい距離に配置するので、上記構成を実現できる。
【００３４】
なお、パターンＳＡ１，ＳＡ２の各アブソリュートパターン同士をオフセットさせる代わりに、例えば、アブソリュートパターン同士はオフセットさせずに、パターンＳＡ１，ＳＡ２それぞれに対応した受光アレイＰＡ１，ＰＡ２同士をオフセットさせてもよい。
【００３５】
また、アブソリュートパターンは必ずしも２本形成される必要はなく、１本のみとしてもよい。但し、以下では、説明の便宜上、２本のパターンＳＡ１，ＳＡ２が形成された場合について説明する。
【００３６】
（２−２−１−２．インクリメンタルパターン）
一方、パターンＳＩが有する複数の反射スリットは、測定方向Ｃに沿ってインクリメンタルパターンを有するように、ディスク１１０の全周に配置される。
【００３７】
「インクリメンタルパターン」とは、図４に示すように、所定のピッチで規則的に繰り返されるパターンである。ここで、「ピッチ」とはインクリメンタルパターンを有するパターンＳＩにおける各反射スリットの配置間隔をいう。図４に示すように、パターンＳＩのピッチはＰである。インクリメンタルパターンは、複数の受光素子による検出の有無それぞれをビットとして絶対位置を表すアブソリュートパターンと異なり、少なくとも１以上の受光素子による検出信号の和により、１ピッチ毎又は１ピッチ内のモータＭの位置を表す。従って、インクリメンタルパターンは、モータＭの絶対位置を表すものではないが、アブソリュートパターンに比べると非常に高精度に位置を表すことが可能である。
【００３８】
なお、本実施形態では、パターンＳＡ１，ＳＡ２の反射スリットの測定方向Ｃにおける最小長さは、パターンＳＩの反射スリットのピッチＰと一致する。その結果、パターンＳＡ１，ＳＡ２に基づくアブソリュート信号の分解能は、パターンＳＩの反射スリットの数と一致する。しかしながら、最小長さは、この例に限定されるものではなく、パターンＳＩの反射スリットの数はアブソリュート信号の分解能と同じかそれよりも多く設定されることが望ましい。
【００３９】
（２−２−２．光学モジュール）
光学モジュール１３０は、図２及び図５に示すように、ディスク１１０と平行な一枚の基板ＢＡとして形成される。これにより、エンコーダ１００を薄型化したり、光学モジュール１３０の製造を容易にすることが可能である。従って、ディスク１１０の回転に伴い、光学モジュール１３０は、パターンＳＡ１，ＳＡ２，ＳＩに対して測定方向Ｃで相対移動する。なお、光学モジュール１３０は必ずしも一枚の基板ＢＡとして構成される必要はなく、各構成が複数の基板として構成されてもよい。この場合、それらの基板が集約して配置されていればよい。また、光学モジュール１３０は基板状でなくともよい。
【００４０】
光学モジュール１３０は、図２及び図５に示すように、基板ＢＡのディスク１１０と対向する面上に、光源１３１と、複数の受光アレイＰＡ１，ＰＡ２，ＰＩ１，ＰＩ２とを有する。
【００４１】
（２−２−２−１．光源）
図３に示すように、光源１３１は、パターンＳＩと対向する位置に配置される。そして、光源１３１は、光学モジュール１３０の対向する位置を通過する３つのパターンＳＡ１，ＳＡ２，ＳＩの対向した部分に光を出射する。
【００４２】
光源１３１としては、照射領域に光を照射可能な光源であれば特に限定されるものではないが、例えば、ＬＥＤ（Ｌｉｇｈｔ  Ｅｍｉｔｔｉｎｇ  Ｄｉｏｄｅ）が使用可能である。図６に示すように、光源１３１は、特に光学レンズ等が配置されない点光源として構成され、発光部から拡散光を出射する。なお、「点光源」という場合、厳密な点である必要はなく、設計上や動作原理上、略点状の位置から拡散光が発せられるものとみなせる光源であれば、有限な出射面から光が発せられてもよい。また、「拡散光」は、点光源から全方位に向かって放たれる光に限定されず、有限の一定の方位に向かって拡散しつつ出射される光を含む。すなわち、ここでいう拡散光には、平行光よりも拡散性を有する光であれば含まれる。このように点光源を使用することにより、光源１３１は、対向した位置を通過する３つのパターンＳＡ１，ＳＡ２，ＳＩにほぼ均等に光を照射することが可能である。また、光学素子による集光・拡散を行わないので、光学素子による誤差等が生じにくく、パターンへの光の直進性を高める事が可能である。
【００４３】
（２−２−２−２．投影像の拡大率）
複数の受光アレイは、光源１３１の周囲に配置され、対応付けられたパターンの反射スリットで反射された光を各々受光する複数の受光素子（図５のドットハッチング部分）を有する。複数の受光素子は、図５に示すように、測定方向Ｃに沿って並べられる。
【００４４】
図６に示すように、光源１３１から出射される光は拡散光である。従って、光学モジュール１３０上に投影されるパターンの像は、光路長に応じた所定の拡大率εだけ拡大されたものとなる。つまり、図４〜図６に示すように、パターンＳＡ１，ＳＡ２，ＳＩそれぞれの幅方向Ｒの長さをＷＳＡ１，ＷＳＡ２，ＷＳＩとし、それらの反射光が光学モジュール１３０に投影された形状の幅方向Ｒの長さをＷＰＡ１，ＷＰＡ２，ＷＰＩとすると、ＷＰＡ１，ＷＰＡ２，ＷＰＩは、ＷＳＡ１，ＷＳＡ２，ＷＳＩのε倍の長さとなる。なお、本実施形態では、図５及び図６に示すように、各受光アレイの受光素子の幅方向Ｒの長さは、各スリットが光学モジュール１３０に投影された形状とほぼ等しく設定されている例を示している。しかし、受光素子の幅方向Ｒの長さは、必ずしもこの例に限定されるものではない。
【００４５】
同様に、光学モジュール１３０における測定方向Ｃも、ディスク１１０における測定方向Ｃが光学モジュール１３０に投影された形状、つまり拡大率εの影響を受けた形状となる。理解が容易になるように、図２に示すように光源１３１の位置における測定方向Ｃを例に挙げて、具体的に説明する。ディスク１１０における測定方向Ｃは、軸心ＡＸを中心とした円状になる。これに対して、光学モジュール１３０に投影された測定方向Ｃの中心は、光源１３１が配置されたディスク１１０の面内位置である光学中心Ｏｐから距離εＬだけ離隔した位置となる。距離εＬは、軸心ＡＸと光学中心Ｏｐとの間の距離Ｌが拡大率εで拡大された距離である。この位置を図２では、概念的に測定中心Ｏｓとして示している。従って、光学モジュール１３０における測定方向Ｃは、光学中心Ｏｐから当該光学中心Ｏｐと軸心ＡＸとが乗るライン上を軸心ＡＸ方向に距離εＬ離れた測定中心Ｏｓを中心とし、距離εＬを半径とするライン上となる。
【００４６】
図４〜図６では、ディスク１１０及び光学モジュール１３０の各々における測定方向Ｃの対応関係を、円弧状のラインＬｃｄ，Ｌｃｐで表す。図４等に示すラインＬｃｄは、ディスク１１０上の測定方向Ｃに沿った線を表す一方、図５等に示すラインＬｃｐは、基板ＢＡ上の測定方向Ｃに沿った線（ラインＬｃｄが光学モジュール１３０上に投影された線）を表す。
【００４７】
図６に示すように、光学モジュール１３０とディスク１１０との間のギャップ長をＧとし、光源１３１の基板ＢＡからの突出量をΔｄとした場合、拡大率εは、下記（式１）で示される。
ε＝（２Ｇ−Δｄ）／（Ｇ−Δｄ）        …（式１）
【００４８】
（２−２−２−３．アブソリュート用、インクリメンタル用の受光アレイ）
１つ１つの受光素子としては、例えばフォトダイオードを使用することができる。各受光素子は、それぞれ所定の受光面積を有する形状に形成されており、その受光面積全体で受光した総光量（以下、「受光光量」という）に応じた大きさのアナログ検出信号を出力する。但し、受光素子としては、フォトダイオードに限られるものではなく、光源１３１から出射された光を受光して電気信号に変換可能なものであれば、特に限定されるものではない。
【００４９】
本実施形態における受光アレイは、３本のパターンＳＡ１，ＳＡ２，ＳＩに対応して配置される。受光アレイＰＡ１は、パターンＳＡ１で反射した光を受光するように構成され、受光アレイＰＡ２は、パターンＳＡ２で反射した光を受光するように構成される。また、受光アレイＰＩ１，ＰＩ２は、パターンＳＩで反射した光を受光するように構成される。受光アレイＰＩ１と受光アレイＰＩ２とは途中で分割されているが、同一トラックに対応する。このように、１つのパターンに対応した受光アレイは１つに限らず、複数であってもよい。
【００５０】
光源１３１と、受光アレイＰＡ１，ＰＡ２とは、図５に示す位置関係に配置される。すなわち、アブソリュートパターンに対応する受光アレイＰＡ１，ＰＡ２は、光源１３１を間に挟んで幅方向Ｒに互いにオフセットした位置に２セット並列に配置される。この例では、受光アレイＰＡ１は内周側、受光アレイＰＡ２は外周側に配置され、受光アレイＰＡ１，ＰＡ２と光源１３１との距離は略等しくなっている。受光アレイＰＡ１，ＰＡ２の各々は、光源１３１（光学中心Ｏｐ）を通りＹ軸に平行なラインＬｏを中心に線対称な形状となっている。そして、受光アレイＰＡ１，ＰＡ２が有する複数（本実施形態では例えば９）の受光素子は、それぞれ測定方向Ｃ（ラインＬｃｐ）に沿って一定のピッチで並べられる。なお、これらの複数の受光素子の形状については後述する。
【００５１】
本実施形態では、アブソリュートパターンとして一次元的なパターンを例示している。このため、該パターンに対応した受光アレイＰＡ１，ＰＡ２は、対応付けられたパターンＳＡ１，ＳＡ２の反射スリットで反射された光を各々受光するように測定方向Ｃ（ラインＬｃｐ）に沿って並べられた複数（本実施形態では例えば９）の受光素子を有する。この複数の受光素子では、上述のとおり、１つ１つの受光又は非受光がビットとして扱われ、９ビットの絶対位置を表す。複数の受光素子それぞれが受光する受光信号は、位置データ生成部１４０（図２参照）において相互に独立して取り扱われて、シリアルなビットパターンに暗号化（コード化）されていた絶対位置が、これらの受光信号の組み合わせから復号される。この受光アレイＰＡ１，ＰＡ２の受光信号を、「アブソリュート信号」という。なお、本実施形態とは異なるアブソリュートパターンが使用される場合には、受光アレイＰＡ１，ＰＡ２は、そのパターンに対応した構成となる。なお、受光アレイＰＡ１，ＰＡ２が有する受光素子の数は９以外でもよく、アブソリュート信号のビット数も９に限定されるものではない。
【００５２】
光源１３１と、受光アレイＰＩ１，ＰＩ２とは、図５に示す位置関係に配置される。すなわち、インクリメンタルパターンに対応する受光アレイＰＩ１，ＰＩ２は、測定方向Ｃにおいて光源１３１を間に挟んで配置される。具体的には、受光アレイＰＩ１，ＰＩ２は、上記ラインＬｏを対称軸として線対称となるように配置される。光源１３１は、測定方向Ｃに１トラックとして配置された受光アレイＰＩ１，ＰＩ２の間に配置される。
【００５３】
受光アレイＰＩ１，ＰＩ２は、対応付けられたパターンＳＩの反射スリットで反射された光を各々受光するように測定方向Ｃ（ラインＬｃｐ）に沿って並べられた複数の受光素子を有する。これらの受光素子は、各々が同一の形状（この例では略長方形）を有する。
【００５４】
本実施形態では、パターンＳＩのインクリメンタルパターンの１ピッチ（投影された像における１ピッチ。すなわちε×Ｐ。）中に、合計４個の受光素子のセット（図５に「ＳＥＴ」で示す）が並べられ、かつ、４個の受光素子のセットが測定方向Ｃに沿って更に複数並べられる。そして、インクリメンタルパターンは、１ピッチ毎に反射スリットが繰り返し形成されるので、各受光素子は、ディスク１１０が回転する場合、１ピッチで１周期（電気角で３６０°という。）の周期信号を生成する。そして、１ピッチに相当する１セット中に４つの受光素子が配置されるので、１セット内の相隣接する受光素子同士は、相互に９０°の位相差を有する周期信号であるインクリメンタル相信号を出力することになる。各インクリメンタル相信号をＡ＋相信号、Ｂ＋相信号（Ａ＋相信号に対する位相差が９０°）、Ａ−相信号（Ａ＋相信号に対する位相差が１８０°）、Ｂ−相信号（Ｂ＋相信号に対する位相差が１８０°）と呼ぶ。
【００５５】
インクリメンタルパターンは１ピッチ中の位置を表すので、１セット中の各位相の信号と、それと対応した他のセット中の各位相の信号とは、同様に変化する値となる。従って、同一位相の信号は、複数のセットにわたって加算される。従って、図５に示す受光アレイＰＩの多数の受光素子からは、位相が９０°ずつずれる４つの信号が検出されることとなる。従って、受光アレイＰＩ１，ＰＩ２から位相が９０°ずつずれる４つの信号がそれぞれ生成される。この４つの信号を、「インクリメンタル信号」という。
【００５６】
なお、本実施形態では、インクリメンタルパターンの１ピッチに相当する１セットには受光素子が４つ含まれ、受光アレイＰＩ１及び受光アレイＰＩ２のそれぞれが同様の構成のセットを有する場合を一例として説明するが、例えば１セットに２つの受光素子が含まれる等、１セット中の受光素子数は特に限定されるものではない。また、受光アレイＰＩＬ，ＰＩＲの全体の受光素子数も、図５等に示す例に限定されるものではない。また、受光アレイＰＩ１，ＰＩ２が各々異なる位相の受光信号を取得するように構成されてもよい。
【００５７】
また、インクリメンタルパターンに対応する受光アレイは、受光アレイＰＩ１，ＰＩ２のように光源１３１を間に挟んで２つ配置される態様に限定されるものではない。例えば、光源１３１の外周側又は内周側において測定方向Ｃに沿った１つの受光アレイとして配置されてもよい。また、分解能が異なるインクリメンタルパターンをディスク１１０の複数のトラックに形成し、各トラックに対応した複数の受光アレイを設けてもよい。
【００５８】
以上、ここでは、受光アレイの概要について説明した。次に、受光アレイＰＡ１，ＰＡ２が有する各受光素子の形状等について説明する前に、残りの構成である位置データ生成部１４０について説明する。
【００５９】
（２−３．位置データ生成部）
位置データ生成部１４０は、モータＭの絶対位置を測定するタイミングにおいて、光学モジュール１３０から、第１絶対位置を表すビットパターンをそれぞれ備えた２つのアブソリュート信号と、位相が９０°ずつずれる４つの信号を含むインクリメンタル信号とを取得する。そして、位置データ生成部１４０は、取得した信号に基づいて、これらの信号が表すモータＭの第２絶対位置を算出し、算出した第２絶対位置を表す位置データを制御装置ＣＴに出力する。
【００６０】
なお、位置データ生成部１４０による位置データの生成方法は、様々な方法が使用可能であり、特に限定されるものではない。ここでは、インクリメンタル信号とアブソリュート信号とから絶対位置を算出し位置データを生成する場合を例にとって説明する。
【００６１】
位置データ生成部１４０は、受光アレイＰＡ１，ＰＡ２からのアブソリュート信号のそれぞれを２値化し、絶対位置を表すビットデータに変換する。そして、予め定められたビットデータと絶対位置との対応関係に基づいて、第１絶対位置を特定する。つまり、ここでいう「第１絶対位置」とは、インクリメンタル信号を重畳する前の低分解能である絶対位置である。一方、受光アレイＰＩ１，ＰＩ２からの４つの位相それぞれのインクリメンタル信号のうち、１８０°位相差のインクリメンタル信号同士を相互に減算する。このように１８０°位相差のある信号を減算することで、１ピッチ内の反射スリットの製造誤差や測定誤差などを相殺可能である。上述のように減算された結果の信号を、ここでは「第１インクリメンタル信号」及び「第２インクリメンタル信号」という。この第１インクリメンタル信号及び第２インクリメンタル信号は相互に電気角で９０°の位相差を有する（単に「Ａ相信号」、「Ｂ相信号」などという。）。そこで、この２つの信号から、位置データ生成部１４０は、１ピッチ内の位置を特定する。この１ピッチ内の位置の特定方法は、特に限定されない。例えば、周期信号であるインクリメンタル信号が正弦波信号である場合には、上記特定方法の例として、Ａ相及びＢ相の２つの正弦波信号の除算結果をａｒｃｔａｎ演算することにより電気角φを算出する方法がある。あるいは、トラッキング回路を用いて２つの正弦波信号を電気角φに変換する方法もある。あるいは、予め作成されたテーブルにおいてＡ相及びＢ相の信号の値に対応付けられた電気角φを特定する方法もある。なおこの際、位置データ生成部１４０は、好ましくは、Ａ相及びＢ相の２つの正弦波信号を各検出信号毎にアナログ−デジタル変換する。
【００６２】
位置データ生成部１４０は、アブソリュート信号に基づいて特定された第１絶対位置に、インクリメンタル信号に基づいて特定された１ピッチ内の位置を重畳する。これにより、アブソリュート信号に基づく第１絶対位置よりも高分解能な第２絶対位置を算出することができる。位置データ生成部１４０は、このようにして算出した第２絶対位置を逓倍処理して分解能をさらに向上させた後、高精度な絶対位置を表す位置データとして制御装置ＣＴに出力する。
【００６３】
（２−４．アブソリュート用受光アレイの各受光素子の形状）
次に、受光アレイＰＡ１，ＰＡ２が有する各受光素子の形状について説明する。
【００６４】
仮に、光源１３１から照射された拡散光が全てディスク１１０上で反射されて光学モジュール１３０の基板ＢＡに照射された場合、図７に示すように反射光の強度分布は光学中心Ｏｐから離間するほど減衰する同心円状の分布となる。なお、図７中における点線円が反射光の等強度線を表しており、内周側ほど光強度が高く、外周側ほど光強度が低い。このように反射光の光強度の分布が同心円状となるのは、光が光路長に応じて減衰する性質を有する一方、光源１３１からの拡散光の照射空間中（反射空間中）で光軸に対し垂直な平面状の基板ＢＡで受光する構造をとっているからである。なお、実際には基板ＢＡ上におけるディスク１１０の各パターンＳＡ１，ＳＡ２，ＳＩに対応した領域に反射光が照射される。
【００６５】
そして、上述したように、アブソリュート用の各受光アレイＰＡ１，ＰＡ２においては、測定中心Ｏｓを曲率中心とした円弧状のラインＬｃｐに沿って複数の受光素子が配置される一方、光学中心Ｏｐは測定中心Ｏｓから大きく離間した位置に配置される。このため、受光アレイＰＡ１，ＰＡ２の各受光素子における光強度は、測定方向Ｃにおいて光源１３１からの距離に応じて変化する。受光アレイＰＡ２について具体的に説明すると、前述のように受光アレイＰＡ２はラインＬｏを中心に線対称な形状であることから、各受光素子における光強度は、ラインＬｏ上の受光素子Ｐ５が最も高く、ラインＬｏに近い順、つまり受光素子Ｐ４，Ｐ６、受光素子Ｐ３，Ｐ７、受光素子Ｐ２，Ｐ８、受光素子Ｐ１，Ｐ９の順に、線対称的に低くなる。受光アレイＰＡ１も同様である。また、受光アレイＰＡ１と受光アレイＰＡ２が光源１３１を間に挟んで並設されていることから、受光アレイＰＡ１，ＰＡ２の各受光素子における光強度は、いずれも光源側の端部Ｅｏで最も高く、光源１３１と反対側の端部Ｅｎで最も低くなる。
【００６６】
ここで、本実施形態において例えばフォトダイオードで構成される各受光素子は、上述したように、その受光面積全体での受光光量に応じてアナログ値の検出信号を出力する。そして、受光光量とは、受光面積中における各受光点での光強度を積算したものである。このため、受光素子間で上記光強度の分布が相違している場合には、例えそれぞれの受光面積が同じであっても受光光量が相違してしまい、受光素子間でアナログ検出信号の変化特性が相違してしまう。この場合、それら受光素子同士の間で２値化信号の変化タイミングがずれてしまうので、絶対位置の誤検出を招く可能性がある。また、受光素子間で２値化信号の変化タイミングがずれないように、２値化信号に変換するための閾値をそれぞれの受光素子の変化特性に対応して調整することも考えられるが、回路構成や信号処理が複雑化し、コストアップ等の要因となりうる。
【００６７】
これに対し、受光素子間で各々の測定方向Ｃ又は幅方向Ｒにおける外形寸法を調整して受光面積を変化させ、受光光量を均一化させる手法を取ることも考えられる。しかし、各受光素子の測定方向Ｃにおける外形寸法を変化させた場合には、隣り合う受光素子間における間隔が不均一となるので、それら受光素子同士の間で乱反射などの影響により相互に漏出受光するクロストーク量が不均一となり、結果的に受光光量を不均一化させる可能性がある。また、各受光素子の幅方向Ｒにおける外形寸法を変化させた場合には、幅方向の長さが短い受光素子ほどディスク１１０の偏心による反射光の幅方向の位置ずれの影響を受けやすくなり、誤検出が生じる可能性がある。
【００６８】
そこで本実施形態では、受光アレイＰＡ１と受光アレイＰＡ２のそれぞれにおいて、各受光素子の測定方向Ｃの最大外形寸法及び幅方向Ｒの最大外形寸法が互いに等しく設定されるとともに、各々の受光光量が互いに等しくなるように光源１３１からの距離が異なる受光素子同士が異なる形状に形成される。なお、ここでいう外径寸法や受光光量が「等しい」という記載は、厳密な意味ではなく、設計上、製造上の公差、誤差が許容され、実質的に等しいという意味である。また、ここでいう「受光光量」は、各受光素子がそれぞれの受光面積全体で反射光を受光した場合の最大受光光量である。
【００６９】
本実施形態では、このような条件を実現する形状の一例として、受光アレイＰＡ１，ＰＡ２において、複数の受光素子のうちの一部又は全部がそれぞれ先細り形状の尖端部を備える形状に形成される。尖端部の位置は特に限定されるものではないが、本実施形態では、受光素子が尖端部を測定方向Ｃの端部に備える場合について説明する。ここでは、受光アレイＰＡ１，ＰＡ２のうち受光アレイＰＡ２を例に挙げて、より具体的に説明する。なお、受光アレイＰＡ１については、受光アレイＰＡ２と幅方向Ｒにおいて対称な形状となること以外は同様の形状であるので、説明を省略する。
【００７０】
（２−４−１．尖端部を有する受光素子の形状の詳細）
図８に、受光アレイＰＡ２が有する９つの受光素子のうちの一つである受光素子Ｐ６の形状を例に挙げて拡大して示す。この図８を参照しつつ、尖端部を有する受光素子の各部の形状及び寸法設定について詳細に説明する。
【００７１】
この受光素子Ｐ６の形状は、概略的には、基本となる四角形状の角部がトリミングされた形状である。この基本となる四角形状は、測定方向Ｃの長さをＴＰＡ２（この例ではパターンＳＡ２の反射スリットの測定方向Ｃにおける最小長さＰ（基本ビット長）のε倍の長さ）とし、幅方向Ｒの長さをＷＰＡ２とした矩形形状である。受光アレイＰＡ２が有するいずれの受光素子Ｐ１〜Ｐ９においても、この基本となる矩形形状、つまり測定方向Ｃの最大外形寸法ＴＰＡ２及び幅方向Ｒの最大外形寸法ＷＰＡ２は、共通して等しく設定されている。なお、上記の基本となる四角形状は、対向する２辺どうしが厳密に平行である必要はなく、また各角部が厳密に直角である必要もなく、実質的に四角形状であればよい。
【００７２】
また、ここで「トリミング」とは、上記四角形状の一つの角部に対し所定の傾斜角で面取りすることをいう。そして、受光素子Ｐ６の測定方向Ｃにおける両端部Ｅｃ，Ｅｒのそれぞれにおいて、当該端部Ｅｃ，Ｅｒ上にそれぞれ位置する２つの角部に対し所定の傾斜角のトリミングがなされることで、当該端部Ｅｃ，Ｅｒ上に頂点が位置する略三角形状の上記尖端部Ｐｓが形成される。なお、本実施形態では各受光素子は測定方向Ｃにおいて対称形状であることから、１つの受光素子Ｐ６における両端部Ｅｃ，Ｅｒのそれぞれに上記尖端部Ｐｓが形成されるが、それら尖端部Ｐｓの測定方向寸法ＴＰｓはいずれも同じ寸法ｄ１に設定され、当該受光素子Ｐ６の測定方向Ｃの最大外形寸法（つまり両端の各尖端部Ｐｓの頂点間距離）は長さＴＰＡ２に維持される。また、光源１３１側の端部Ｅｏから尖端部Ｐｓの頂点までの幅方向寸法をＷｏとし、光源１３１と反対側の端部Ｅｎから尖端部Ｐｓの頂点までの幅方向寸法をＷｎとした場合、それら幅方向寸法の合計Ｗｏ＋Ｗｎは受光素子の幅方向Ｒの最大外形寸法ＷＰＡ２に等しい。また、基本的には測定方向Ｃの両端部Ｅｃ，Ｅｒのそれぞれにおける幅方向寸法Ｗｏ同士、幅方向寸法Ｗｎ同士も等しい。これにより受光素子Ｐ６は、測定中心Ｏｓと測定方向Ｃの中心位置とを通るラインＬｏｃを対称軸として測定方向Ｃに対し対称な六角形状に形成される。
【００７３】
なお、尖端部Ｐｓの形状は先細り形状であればよく、上記三角形状以外にも、例えば台形状や、丸みを帯びた円弧状としてもよい。また、尖端部Ｐｓは基本となる四角形状の角部のトリミング以外の手法で形成されてもよい。
【００７４】
また、尖端部Ｐｓの測定方向寸法の合計ＴＰｓ＋ＴＰｓが等しい受光素子同士では、それらの受光面積も等しいと言える。換言すれば、受光素子の測定方向Ｃの最大外形寸法ＴＰＡ２に対してＴＰｓ＋ＴＰｓが占める割合が等しいと、受光面積も等しいと言える。
【００７５】
なお、以下においては、測定方向Ｃの両端部Ｅｃ，Ｅｒに尖端部Ｐｓを有する受光素子、換言するとＴＰｓ＋ＴＰｓが０よりも大きい値である受光素子（この例では受光素子Ｐ２〜Ｐ８）を、「第１受光素子」ともいう。また、両端部Ｅｃ，Ｅｒのいずれにも尖端部Ｐｓを有しない四角形状の受光素子、換言するとＴＰｓ＋ＴＰｓが実質的に０（ｄ１＝０）である受光素子（この例では受光素子Ｐ１，Ｐ９）を、「第２受光素子」ともいう。
【００７６】
そして、上記図７で説明したように、各受光素子における光強度は光源側の端部Ｅｏで最も高く、光源１３１と反対側の端部Ｅｎで最も低くなる。このため、受光素子間でＴＰｓ＋ＴＰｓが同じ、つまり受光面積が同じであっても、尖端部Ｐｓの頂点の幅方向Ｒにおける位置が光源１３１より離れている（幅方向寸法Ｗｏの割合が大きい）方が、受光光量を相対的に小さくできる。逆に、尖端部Ｐｓの頂点の幅方向Ｒにおける位置が光源１３１に近い（幅方向寸法Ｗｎの割合が大きい）方が、受光光量を相対的に大きくできる。
【００７７】
また、同じ図７で説明したように、受光アレイＰＡ２の複数の受光素子Ｐ１〜Ｐ９における光強度は、ラインＬｏに近いほど、つまり基板ＢＡ上で光源１３１に近い受光素子ほど高く、ラインＬｏから遠いほど、つまり基板ＢＡ上で光源１３１から遠い受光素子ほど低くなる。このため、本実施形態では、光源１３１から最も遠い位置にある２つの受光素子Ｐ１，Ｐ９が受光面積が最大となる上記第２受光素子とされ、他の受光素子Ｐ２〜Ｐ８については上記第１受光素子とされ、受光素子Ｐ１，Ｐ９での受光光量を基準として同じ受光光量となるよう形状が調整されている。
【００７８】
以上から、受光アレイＰＡ２の複数の受光素子Ｐ１〜Ｐ９の形状は、例えば図５、図７に示す態様とすることができる。なお、以下の説明における幅方向寸法ｄ１，ｄ２は後述の図１２に図示している。すなわち、最も両端に位置する２つの受光素子Ｐ１，Ｐ９は、全くトリミングしない四角形状の第２受光素子である。また、それらの内側直近に位置する２つの受光素子Ｐ２，Ｐ８は、比較的小さな幅方向寸法ＴＰｓ（＝ｄ２）の尖端部Ｐｓを両端部Ｅｃ，Ｅｒに有する略同一形状の第１受光素子である。また、それらの内側直近に位置する２つの受光素子Ｐ３，Ｐ７は、比較的大きな幅方向寸法ＴＰｓ（＝ｄ１）の尖端部Ｐｓを両端部Ｅｃ，Ｅｒに有する略同一形状の第１受光素子である。また、それらの内側直近に位置する２つの受光素子Ｐ４，Ｐ６も、比較的大きな幅方向寸法ＴＰｓ（＝ｄ１）の尖端部Ｐｓを両端部Ｅｃ，Ｅｒに有する略同一形状の第１受光素子である。また、それらの内側直近で最も光源１３１に近い受光素子Ｐ５も、比較的大きな幅方向寸法ＴＰｓ（＝ｄ１）の尖端部Ｐｓを両端部Ｅｃ，Ｅｒに有する第１受光素子である。
【００７９】
また、この例では、受光アレイＰＡ２における９つの受光素子Ｐ１〜Ｐ９のうち、光源１３１に近い配置にある５つの受光素子Ｐ３〜Ｐ７については上記ＴＰｓ＋ＴＰｓが等しくなっており、すなわち受光面積が等しくなっている。これら受光素子Ｐ３〜Ｐ７を構成する受光素子Ｐ３〜Ｐ５及び受光素子Ｐ５〜Ｐ７は、光源１３１からの距離が異なると共に互いに面積が等しい複数の第１受光素子の一例に相当する。そして、これら面積が等しい受光素子Ｐ３〜Ｐ７の間では、尖端部Ｐｓの頂点の幅方向Ｒにおける位置が、測定方向Ｃにおいて光源１３１に近い受光素子ほど光源１３１より離れるように設定されている。換言すると、上記幅方向寸法Ｗｏの割合が、測定方向Ｃにおいて光源１３１に近い第１受光素子ほど大きく設定されている。具体的には、受光素子Ｐ４，Ｐ６の尖端部Ｐｓの頂点の位置は受光素子Ｐ３，Ｐ７よりも光源１３１から離れており、受光素子Ｐ５の尖端部Ｐｓの頂点の位置は受光素子Ｐ４，Ｐ６よりも光源１３１から離れている。
【００８０】
さらに、この例では、受光素子Ｐ１〜Ｐ９のうち、互いに面積が異なる第１受光素子、すなわち受光素子Ｐ２，Ｐ３と、受光素子Ｐ７，Ｐ８については、ＴＰｓ＋ＴＰｓが測定方向Ｃにおいて光源１３１に近い受光素子ほど大きくなっている。具体的には、受光素子Ｐ３のＴＰｓ＋ＴＰｓ（＝２×Ｄ１）は受光素子Ｐ２のＴＰｓ＋ＴＰｓ（＝２×Ｄ２）よりも大きく、同様に受光素子Ｐ７のＴＰｓ＋ＴＰｓ（＝２×Ｄ１）は受光素子Ｐ８のＴＰｓ＋ＴＰｓ（＝２×Ｄ２）よりも大きい。なお、受光素子Ｐ２，Ｐ３と、受光素子Ｐ７，Ｐ８については、尖端部Ｐｓの頂点の幅方向位置は同じである。これら受光素子Ｐ２，Ｐ３及び受光素子Ｐ７，Ｐ８は、光源からの距離が異なると共に互いに面積が異なる複数の第１受光素子の一例に相当する。
【００８１】
なお、受光アレイＰＡ２の複数の受光素子Ｐ１〜Ｐ９の形状の態様は、上記に限定されるものではない。例えば、受光アレイＰＡ２の両端の受光素子Ｐ１，Ｐ９についても尖端部Ｐｓを備えた第１受光素子としてもよい。また、受光素子Ｐ１〜Ｐ９中の互いに面積が等しい受光素子の数は上記５以外としてもよいし、全ての受光素子の面積を相互に異なるようにしてもよい。また、互いに面積が等しい第１受光素子における上記尖端部Ｐｓの頂点位置の関係や、互いに面積が異なる第１受光素子における上記ＴＰｓ＋ＴＰｓの関係も、上記以外の態様としてもよい。但し、本実施形態では、説明の便宜上、上述の形状である場合について説明する。
【００８２】
以上により、受光アレイＰＡ１と受光アレイＰＡ２のそれぞれについて、各受光素子の測定方向Ｃの最大外形寸法及び幅方向Ｒの最大外形寸法を互いに等しくしつつ、各々の受光光量を互いに等しくすることができる。
【００８３】
なお、第１受光素子が上記尖端部Ｐｓを有することにより、その検出信号を２値化信号に変換する際にも有利な効果が得られる。以下、その効果について詳細に説明する。
【００８４】
（２−４−２．２値化信号変換時における尖端部の効果）
まず比較例として、尖端部Ｐｓを有していない矩形形状の受光素子ＰＤ’の場合のアナログ検出信号の変化特性について、図９を参照しつつ説明する。この図９において、矩形形状の受光素子ＰＤ’に対し、パターンＳＡ１，ＳＡ２が有する反射スリットからの反射光の照射面Ｒｓが、時間の経過とともに測定方向Ｃに沿って位置Ｘ１〜Ｘ１１の順に進行する。なお、照射面Ｒｓは幅方向Ｒで受光素子ＰＤ’より大きく、測定方向Ｃで受光素子ＰＤ’と同じ大きさの矩形形状とする。またここでは、照射面Ｒｓ中における光強度の分布は均一であるとする。これら位置Ｘ１〜Ｘ１１にそれぞれ対応して、受光素子ＰＤ’における受光光量は太線ＶＸに示すような変化特性で経時変化する。
【００８５】
この場合、照射面Ｒｓが受光素子ＰＤ’と重複し始める位置Ｘ２のタイミングから、照射面Ｒｓが受光素子ＰＤ’と完全に重複する位置Ｘ６のタイミングまでは、受光光量が一次関数的に単調増加する。また、受光光量が最大となるこの位置Ｘ６のタイミングから、照射面Ｒｓと受光素子ＰＤ’との重複が無くなる位置Ｘ１０のタイミングまでは、受光光量が一次関数的に単調減少する。
【００８６】
これに対し、尖端部Ｐｓを有する受光素子ＰＤの場合のアナログ検出信号の変化特性を図１０に示す。なお、この図１０においては、理解を容易とするために、受光素子ＰＤが第１受光素子の両尖端部Ｐｓの頂点から端部Ｅｎ側の半部だけで形成される場合を図示している。また上述と同様に、照射面Ｒｓは幅方向Ｒで受光素子ＰＤより大きく、測定方向Ｃで受光素子ＰＤと同じ大きさの矩形形状であり、照射面Ｒｓ中における光強度の分布は均一であるとする。この図１０において、受光素子ＰＤに対して照射面Ｒｓが時間の経過とともに位置Ｙ１〜Ｙ１１の順に進行した場合、各位置Ｙ１〜Ｙ１１に対応して、受光素子ＰＤにおける受光光量は太線ＶＹに示すような変化特性で経時変化する。
【００８７】
この場合、照射面Ｒｓが受光素子ＰＤと重複し始める位置Ｙ２のタイミングから、照射面Ｒｓが端部Ｅｃ側の尖端部Ｐｓと完全に重複する位置Ｙ３のタイミングまでは、受光光量が二次関数的（三次関数以上の多次関数的でもよい）に増加する。また、この位置Ｙ３のタイミングから、照射面Ｒｓが端部Ｅｒ側の尖端部Ｐｓと重複し始める位置Ｙ５のタイミングまでの間（後述の図１１中の線形区間１参照）は、受光光量が一次関数的に単調増加する。また、この位置Ｙ５のタイミングから、照射面Ｒｓが受光素子ＰＤと完全に重複する位置Ｙ６のタイミングまでは、受光光量が二次関数的に増加する。ここまでのうち、上記位置Ｙ３のタイミングから上記位置Ｙ５のタイミングまでの間で受光光量の時間変化率（曲線の傾斜）が最も大きくなる。また、受光光量が最大となる位置Ｙ６のタイミングから、照射面Ｒｓと受光素子ＰＤとの重複が無くなる位置Ｙ１０のタイミングまでは、上述した経時変化と対称的に減少する。この間には、照射面Ｒｓと端部Ｅｃ側の尖端部Ｐｓとの重複が無くなる位置Ｙ７のタイミングから、照射面Ｒｓと端部Ｅｒ側の尖端部Ｐｓとの重複が減少し始める位置Ｙ９のタイミングまでの間（後述の図１１中の線形区間２参照）に受光光量が一次関数的に単調減少し、受光光量の時間変化率（曲線の傾斜）が最も大きくなる。
【００８８】
ここで、図１１に示すように、受光素子ＰＤ’である場合と受光素子ＰＤである場合のそれぞれの受光光量の変化特性を比較する。なおこの図１１では、比較が容易となるよう、それぞれの受光面積が等しく、同じ光強度の照射光が均一な分布で照射されており、それぞれの変化特性における最大受光光量が等しくなっているものとする。
【００８９】
この図１１において、いずれの受光素子ＰＤ’，ＰＤの場合も照射面Ｒｓとの重複領域が受光面積の半分となるタイミング、つまり上記図９、図１０における位置Ｘ４，Ｘ８，Ｙ４，Ｙ８のタイミングで受光光量が最大受光光量の半分となり、それぞれの特性線ＶＸ，ＶＹが交差する。受光素子からのアナログ検出信号を２値化信号に変換するための閾値は、この最大受光光量の半分の値に設定されるのが望ましい。しかし、例えば光源１３１の経年劣化や製造個体差による照射光の光強度の変動、または受光素子の経年劣化や製造個体差による受光感度の変動などにより、受光光量の変化特性に対して閾値が相対的に変動する場合がある。この閾値の変動は、上述した最大受光光量の半分である基準値を中心とした変動幅ΔＴの範囲で変動するが、受光素子ＰＤ’である場合には変化特性が一次関数的に増減変化するため、対応する変動幅Δｔｘで２値化信号の変化タイミングが変動する。
【００９０】
これに対し、受光素子ＰＤである場合には、上述したように最大受光光量の半分である基準値の周囲で特性曲線が最も大きく傾斜している。このため、閾値の変動幅ΔＴに対して、２値化信号の変化タイミングの変動を、受光素子ＰＤ’の場合の上記変動幅Δｔｘよりも十分狭い変動幅Δｔｙに抑えることができる。以上により、本実施形態における第１受光素子が尖端部Ｐｓを有する形状に形成されていることで、そのアナログ検出信号を２値化信号に変換する際には、閾値の変動による影響を抑える効果がある。
【００９１】
＜３．本実施形態による効果の例＞
以上説明した実施形態では、エンコーダ１００が、測定方向Ｃに沿って並べられ、光源１３１から出射されパターンＳＡ１，ＳＡ２で反射された光を受光する受光アレイＰＡ１，ＰＡ２を有する。そして、それら受光アレイＰＡ１，ＰＡ２が有する複数の受光素子（図５等に示す例では受光素子Ｐ１〜Ｐ９）は、先細り形状の尖端部Ｐｓを備えた第１受光素子（図５等に示す例では受光素子Ｐ２〜Ｐ８）を含む。これにより、尖端部Ｐｓの形状や大きさ等を調整することで、第１受光素子の受光光量を調整することができる。これにより、複数の受光素子の各々の受光光量を均一にすることが可能となるので、１ビット１ビットの検出精度を均一化して絶対位置の誤検出を抑制でき、検出精度を向上できる。また、各受光素子の信号出力を調整する処理が不要となると共に、受光素子からのアナログ信号を２値化信号に変換するための閾値を各受光素子で共通化できるので、回路構成を単純化できる。
【００９２】
また、尖端部を備えない（四角形の）第２受光素子（図５等に示す例では受光素子Ｐ１，Ｐ９）の場合、測定方向Ｃのエッジが幅Ｒ方向に平行なので、パターンが通過する際の信号出力の変化は一次関数的な単調増加及び単調減少となる（上記図９参照）。一方、尖端部Ｐｓを備えた第１受光素子は、測定方向Ｃのエッジが幅方向に対して傾斜した形状となるので、パターンが通過する際の信号出力の変化は二次関数的な増加及び減少となり、閾値付近における信号出力の変化の度合いを大きくする（傾きを急にする）ことができる（上記図１０参照）。これにより、閾値の変動に対する位相のずれが小さくなるので、閾値が変動した場合でも絶対位置の検出誤差を生じにくくすることができる（上記図１１参照）。
【００９３】
また、本実施形態において、第１受光素子が尖端部Ｐｓを測定方向Ｃの端部に備える場合には、次のような効果を得る。つまり、尖端部Ｐｓを測定方向Ｃの端部Ｅｃ，Ｅｒに設けることにより、第１受光素子の幅方向Ｒの両端部Ｅｏ，Ｅｎそれぞれの側の半部を略台形状とすることができる。これにより、幅方向Ｒの端部Ｅｏ，Ｅｎに尖端部Ｐｓを設ける場合（この場合、受光光量の時間変化率が最大となる領域は点となる）に比べて、上記閾値付近における信号出力の変化の度合いが大きくなる区間を増大する（点→線；図１１中の各線形区間参照）ことができる。その結果、閾値の変動に対する位相のずれがより小さくなるので、閾値の変動に対するロバスト性をより高めることができる。
【００９４】
また、本実施形態において、受光アレイＰＡ１，ＰＡ２が有する複数の受光素子（図５等に示す例では受光素子Ｐ１〜Ｐ９）は、各々の測定方向Ｃの最大外形寸法ＴＰＡ２及び幅方向Ｒの最大外形寸法ＷＰＡ２が互いに等しく、且つ、各々の受光光量が互いに等しくなるように光源１３１からの距離が異なる受光素子同士が異なる形状を有する場合には、次のような効果を得る。つまり、各受光素子の測定方向Ｃの最大外形寸法ＴＰＡ２が互いに等しいので、各受光素子の測定方向Ｃの間隔をほぼ均一にすることができる。これにより、測定方向Ｃに隣り合う各受光素子間のクロストーク量を均一化することができるので、各受光素子の受光光量の均一性を更に高めることができる。また、各受光素子の信号からクロストークによるノイズを除去する処理が容易となる。
【００９５】
また例えば、光源１３１に近づくにつれ受光素子の幅方向Ｒの長さＷＰＡ２を短くした場合、幅方向Ｒの長さが短い受光素子ほど、ディスク１１０の偏心による光の幅方向Ｒの位置ずれの影響が大きくなり、検出誤差が生じ易くなる。本実施形態では、各受光素子の幅方向Ｒの最大外形寸法ＷＰＡ２を互いに等しくするので、上記偏心による影響を小さくすることができ、ディスク１１０に偏心が存在する場合でも絶対位置の検出誤差を生じにくくすることができる。
【００９６】
また、本実施形態において、受光アレイＰＡ１，ＰＡ２が有する複数の受光素子が、光源１３１からの距離が異なると共に互いに面積が等しい複数の第１受光素子（図５等に示す例では受光素子Ｐ３〜Ｐ７）を含む場合には、次のような効果を得る。つまり、互いに面積が等しい第１受光素子では接合容量（静電容量）が等しくなるので、各第１受光素子の応答速度を均一化できる。その結果、モータＭの高速回転時の絶対位置の検出精度を向上できる。
【００９７】
また、本実施形態において、受光アレイＰＡ１，ＰＡ２が有する複数の受光素子のうち、互いに面積が等しい複数の第１受光素子（図５等に示す例では受光素子Ｐ３〜Ｐ７）について、尖端部Ｐｓの測定方向寸法の合計ＴＰｓ＋ＴＰｓが互いに等しく、測定方向Ｃにおいて光源１３１に近い第１受光素子ほど尖端部Ｐｓの頂点の幅Ｒ方向における位置が光源１３１より離れている場合には、次のような効果を得る。つまり、光は光路長に応じて減衰することから、光源１３１から出射されパターンＳＡ１，ＳＡ２で反射された光の照射強度は光源１３１を中心として光源１３１から離れるほど減衰する同心円状の分布をとる。このような光強度分布において、光源１３１に近い第１受光素子ほど尖端部Ｐｓの頂点の幅方向位置を光源１３１より離すことで、光源１３１から離れた第１受光素子については光強度が相対的に大きな領域の受光面積を確保しつつ、光源１３１に近い第１受光素子ほど光強度が相対的に大きな領域の受光面積を次第に減少させることができる。したがって、各受光素子の面積を均一にしつつ受光光量の均一化を実現できる。
【００９８】
また、本実施形態において、受光アレイＰＡ１，ＰＡ２が有する複数の受光素子が、測定方向Ｃにおいて第１受光素子を間に挟んで配置され、尖端部Ｐｓを備えない２つの第２受光素子（図５等に示す例では受光素子Ｐ１，Ｐ９）を含む場合には、次のような効果を得る。つまり、尖端部Ｐｓを備えない第２受光素子は、尖端部Ｐｓを備える第１受光素子よりも面積が大きい。このため、光源１３１より最も離れた位置となる受光アレイＰＡ１，ＰＡ２の両端の受光素子を第２受光素子とし、その間に第１受光素子を配置することにより、受光アレイＰＡ１，ＰＡ２の各々において複数の受光素子全体での受光光量を最大限確保しつつ、各受光素子の受光光量を均一化することができる。
【００９９】
また、本実施形態において、第２受光素子（図５等に示す例では受光素子Ｐ１，Ｐ９）が四角形状であり、第１受光素子（図５等に示す例では受光素子Ｐ２〜Ｐ８）が四角形状の角部をトリミングした形状とする場合には、次のような効果を得る。つまり、各第１受光素子について、第２受光素子の四角形状を基準にトリミングの面積や位置等を調整すればよいので、第１受光素子の形状の設計を容易化できる。
【０１００】
また、本実施形態において、受光アレイＰＡ１，ＰＡ２が有する複数の受光素子が、光源１３１からの距離が異なると共に互いに面積が異なる複数の第１受光素子（図５等に示す例では受光素子Ｐ２，Ｐ３と受光素子Ｐ７，Ｐ８）を含み、該面積が異なる複数の第１受光素子において、尖端部Ｐｓの測定方向寸法の合計ＴＰｓ＋ＴＰｓが測定方向Ｃにおいて光源１３１に近い第１受光素子ほど大きく設定された場合には、次のような効果を得る。つまり、上記光強度分布において、光源１３１に近い第１受光素子ほど尖端部Ｐｓの測定方向寸法を大きくすることで、光源１３１に近い第１受光素子ほど受光面積を次第に小さくすることができる。したがって、各受光素子の受光光量の均一化を実現できる。
【０１０１】
また、本実施形態において、受光アレイＰＡ１，ＰＡ２の各々を構成する複数の受光素子が、光源１３１を挟むように幅方向Ｒに互いにオフセットした位置に２セット並列に配置された場合には、次のような効果を得る。つまり、一方の複数の受光素子（例えば受光アレイＰＡ２）がアブソリュートパターンの変わり目に相当する等により検出信号の信頼性が低下した場合には、他方の複数の受光素子（例えば受光アレイＰＡ１）からの検出信号を使用したり、その逆を行うことができる。これにより、受光素子の検出信号の信頼性を向上し、絶対位置の検出精度を向上できる。
【０１０２】
また、本実施形態において、エンコーダ１００が、光源１３１がパターンＳＡ１，ＳＡ２に拡散光を出射する点光源であり、パターンＳＡ１，ＳＡ２が光源１３１より出射された光を反射するパターンであり、受光アレイＰＡ１，ＰＡ２の複数の受光素子がパターンＳＡ１，ＳＡ２で反射された光を受光する、反射型のエンコーダとして構成された場合には、次のような効果を得る。つまり、反射型のエンコーダでは、拡散光を出射する点光源を用いることでパターンＳＡ１，ＳＡ２からの反射光の光量分布がパターンＳＡ１，ＳＡ２に対応する照射領域からさらに広がる台形状となりやすいことから、測定方向Ｃに隣り合う受光素子間でクロストークが生じやすい。したがって、クロストーク量を均一化できる本構成は、反射型のエンコーダへ適用した場合により有効である。また、反射型のエンコーダとして構成することで、受光アレイＰＡ１，ＰＡ２の複数の受光素子Ｐ１〜Ｐ９を光源１３１に近接して配置することが可能となるので、エンコーダ１００を小型化できる。
【０１０３】
＜４．変形例等＞
以上、添付図面を参照しながら一実施の形態について詳細に説明した。しかしながら、技術的思想の範囲は、ここで説明した実施の形態に限定されないことは言うまでもない。実施形態の属する技術の分野における通常の知識を有する者であれば、特許請求の範囲に記載された技術的思想の範囲内において、様々な変更や修正、組み合わせなどを行うことに想到できることは明らかである。従って、これらの変更や修正、組み合わせなどが行われた後の技術も、当然に技術的思想の範囲に属するものである。以下、そのような変形例を順を追って説明する。なお、以下の説明において前述の実施形態と同様の部分には同符号を付し、適宜説明を省略する。
【０１０４】
受光アレイＰＡ１，ＰＡ２の各受光素子の形状は、上記実施形態の態様に限定されるものではなく、その他にも種々の態様が考えられる。以下、図１２〜図１７を用いて、これら受光素子の形状のバリエーションについて説明する。なお、図１２〜図１７では、受光アレイＰＡ２の各受光素子の形状のみを示し、その他の構成については図示を省略している。また、実際には各受光素子は円弧状ラインＬｃｐに沿って配置（測定方向Ｃに沿って配置）されるが、図１２〜図１７においては各受光素子間の形状関係の理解を容易とするために直線的な配置で模式的に示している。
【０１０５】
（４−１．実施形態の受光素子の形状：同一面積の受光素子が５つの場合）
比較のために、図１２に上記実施形態における受光アレイＰＡ２の各受光素子の形状を示す。この例では、受光アレイＰＡ２の両端に位置する２つの受光素子Ｐ１，Ｐ９が尖端部Ｐｓを有しない第２受光素子であり、その間に尖端部Ｐｓを有する第１受光素子Ｐ２〜Ｐ８が配置されている。また、第１受光素子Ｐ３〜Ｐ７については受光面積が等しく、これら第１受光素子Ｐ３〜Ｐ７では、光源１３１に近い第１受光素子ほど尖端部Ｐｓの頂点の幅方向位置が光源１３１より離れている。また、互いに面積が異なる第１受光素子Ｐ２，Ｐ３と第１受光素子Ｐ７，Ｐ８については、尖端部Ｐｓの測定方向寸法の合計ＴＰｓ＋ＴＰｓが測定方向Ｃにおいて光源１３１に近い受光素子ほど大きくなっている。この例では、尖端部Ｐｓの測定方向寸法ＴＰｓは２種類設定されており、ｄ１はｄ２よりも大きい。
【０１０６】
なお、各受光素子の測定方向Ｃの最大外形寸法及び幅方向Ｒの最大外形寸法が互いに等しく、且つ、各々の受光光量が互いに等しくなるように光源１３１からの距離が異なる受光素子同士が異なる形状を有する点については、以下に説明する各変形例についても同様である。
【０１０７】
（４−２．同一面積の受光素子が３つの場合）
図１３に示すような形状としてもよい。この例では、尖端部Ｐｓの測定方向寸法ＴＰｓは３種類設定されており、ｄ２はｄ３よりも大きく、ｄ１はｄ２よりもさらに大きい。そして、３つの第１受光素子Ｐ４〜Ｐ６については受光面積が等しく、これら第１受光素子Ｐ４〜Ｐ６では、光源１３１に近い第１受光素子ほど尖端部Ｐｓの頂点の幅方向位置が光源１３１より離れている。また、互いに面積が異なる第１受光素子Ｐ２〜Ｐ４と第１受光素子Ｐ６〜Ｐ８については、ＴＰｓ＋ＴＰｓが測定方向Ｃにおいて光源１３１に近い受光素子ほど大きくなっている。なお、第１受光素子Ｐ２，Ｐ３と第１受光素子Ｐ７，Ｐ８については尖端部Ｐｓの頂点の幅方向位置は同じである。本変形例においても、上記実施形態と同様の効果を得ることができる。
【０１０８】
（４−３．同一面積の受光素子が７つの場合）
また、図１４に示すような形状としてもよい。この例では、尖端部Ｐｓの測定方向寸法ＴＰｓはｄ１の１種類のみ設定されている。そして、７つの第１受光素子Ｐ２〜Ｐ８については受光面積が等しく、これら第１受光素子Ｐ２〜Ｐ８では、光源１３１に近い第１受光素子ほど尖端部Ｐｓの頂点の幅方向位置が光源１３１より離れている。なお、本変形例では、互いに面積が異なる第１受光素子については配置されていない。本変形例においても、上記実施形態と同様の効果を得ることができる。
【０１０９】
（４−４．全受光素子が同一面積である場合）
また、図１５に示すような形状としてもよい。この例では、全ての受光素子Ｐ１〜Ｐ９が尖端部Ｐｓを有する第１受光素子であり、尖端部Ｐｓを有しない第２受光素子については配置されていない。また、尖端部Ｐｓの測定方向寸法ＴＰｓはｄ１の１種類のみ設定されている。そして、全ての第１受光素子Ｐ１〜Ｐ９について受光面積が等しく、これら第１受光素子Ｐ１〜Ｐ９では、光源１３１に近い第１受光素子ほど尖端部Ｐｓの頂点の幅方向位置が光源１３１より離れている。なお、本変形例でも、互いに面積が異なる第１受光素子については配置されていない。本変形例においても、上記実施形態と同様の効果を得ることができる。
【０１１０】
（４−５．受光素子を尖端部のみで構成する場合）
また、図１６に示すような形状としてもよい。この例では、全ての受光素子Ｐ１〜Ｐ９が尖端部Ｐｓのみで構成されている。すなわち、尖端部Ｐｓの測定方向寸法ＴＰｓはｄ１の１種類のみ設定されており、受光素子Ｐ１〜Ｐ９のいずれも、ｄ１は最大外形寸法ＴＰＡ２の半分となっている。そして、全ての第１受光素子Ｐ１〜Ｐ９について受光面積が等しく、これら第１受光素子Ｐ１〜Ｐ９では、光源１３１に近い第１受光素子ほど尖端部Ｐｓの頂点の幅方向位置が光源１３１より離れている。なお、本変形例でも、互いに面積が異なる第１受光素子については配置されていない。本変形例においても、上記実施形態と同様の効果を得ることができる。
【０１１１】
（４−６．全ての受光素子の面積が異なる場合）
また、図１７に示すような形状としてもよい。この例では、両端に位置する２つの受光素子Ｐ１，Ｐ９は、尖端部Ｐｓを有しない第２受光素子である。また、尖端部Ｐｓの測定方向寸法ＴＰｓは４種類設定されており、ｄ３はｄ４よりも大きく、ｄ２はｄ３よりもさらに大きく、ｄ１はｄ２よりもさらに大きい。そして、全ての受光素子Ｐ１〜Ｐ９は、互いに受光面積が異なっている。そして、互いに受光面積が異なる第１受光素子Ｐ２〜Ｐ８においては、ＴＰｓ＋ＴＰｓが測定方向Ｃにおいて光源１３１に近い受光素子ほど大きくなっている。なお、第１受光素子Ｐ２〜Ｐ８のいずれも尖端部Ｐｓの頂点の幅方向位置は同じである。本変形例においても、上記実施形態と同様の効果を得ることができる。
【０１１２】
なお、以上の説明において、「垂直」「平行」「平面」等の記載がある場合には、当該記載は厳密な意味ではない。すなわち、それら「垂直」「平行」「平面」とは、設計上、製造上の公差、誤差が許容され、「実質的に垂直」「実質的に平行」「実質的に平面」という意味である。
【０１１３】
また、以上の説明において、外観上の寸法や形状が「同一」「等しい」「異なる」等の記載がある場合は、当該記載は厳密な意味ではない。すなわち、それら「同一」「等しい」「異なる」とは、設計上、製造上の公差、誤差が許容され、「実質的に同一」「実質的に等しい」「実質的に異なる」という意味である。
【符号の説明】
【０１１４】
Ｓ        サーボシステム
ＳＭ      サーボモータ
ＣＴ      制御装置
Ｍ        モータ
ＳＨ      シャフト
１００    エンコーダ
１１０    ディスク
１３０    光学モジュール
１３１    光源
１４０    位置データ生成部
ＳＡ１，ＳＡ２，ＳＩ              パターン
ＰＡ１，ＰＡ２                    受光アレイ
ＰＩ１，ＰＩ２                    受光アレイ
Ｐ１，Ｐ２，Ｐ３，Ｐ４，Ｐ５，Ｐ６，Ｐ７，Ｐ８，Ｐ９      受光素子
Ｃ    測定方向
Ｒ    幅方向
ＡＸ    回転軸
Ｏ      ディスク中心
Ｏｐ    光学中心
Ｌｃｄ，Ｌｃｐ，Ｌｏ，Ｌｏｃ    ライン
ＢＡ    基板
【図１】
0006037258.tif 000002
【図２】
0006037258.tif 000003
【図３】
0006037258.tif 000004
【図４】
0006037258.tif 000005
【図５】
0006037258.tif 000006
【図６】
0006037258.tif 000007
【図７】
0006037258.tif 000008
【図８】
0006037258.tif 000009
【図９】
0006037258.tif 000010
【図１０】
0006037258.tif 000011
【図１１】
0006037258.tif 000012
【図１２】
0006037258.tif 000013
【図１３】
0006037258.tif 000014
【図１４】
0006037258.tif 000015
【図１５】
0006037258.tif 000016
【図１６】
0006037258.tif 000017
【図１７】
0006037258.tif 000018